(57)【要約】【課題】  音響機器のパラメータセットの設定において、複数の個別操作子で複数のパラメータを制御する方式と１つの共通操作子で複数のパラメータを連動制御する方式とを組み合わせた場合でも、ユーザにとって判りやすく使い勝手が良くなるようにする。【解決手段】  パラメータ設定のモードとして第１モード（ワンノブモードオフ）と第２モード（ワンノブモードオン）とを設ける。第１モードでは、パラメータセットの各パラメータの個別エレメントを操作可能な非マスク状態で表示して個別のパラメータ設定が行えるようにする。第２モードでは、パラメータセットの各パラメータの個別エレメントは操作不可なマスク状態で表示し、ワンエレメントを操作可能な非マスク状態で表示し、ワンエレメントの操作でパラメータセットの複数パラメータを連動制御する。第１モードから第２モードへの切替時にはパラメータセットを初期化する。【選択図】  図１３
2016181888.tif 000002
【特許請求の範囲】
【請求項１】
信号処理ブロックと表示手段とを備えた音響機器に適用する、少なくとも１つの信号処理ブロックのパラメータセットの設定方法であって、
ユーザによる第２モードから第１モードへの切替指示を受け付けたとき、前記１つの信号処理ブロックのパラメータセットの各パラメータ値は維持したまま、当該信号処理ブロックを第２モードから第１モードに切り替える第１モード切替過程と、
当該信号処理ブロックが前記第１モードの間、前記表示手段に、操作対象の信号処理ブロックのパラメータセットの各パラメータ値を示す個別エレメントを操作可能な非マスク状態で表示させるとともに、何れかの個別エレメントに対するユーザ操作を受け付けて、その個別エレメントに対応するパラメータ値を変更する第１編集過程と、
ユーザによる第１モードから第２モードへの切替指示を受付けたとき、当該信号処理ブロックのパラメータセットのパラメータを初期化するとともに、当該信号処理ブロックを第１モードから第２モードに切り替える第２モード切替過程と、
当該信号処理ブロックが前記第２モードの間、前記表示手段に、操作対象の信号処理ブロックのパラメータセットの各パラメータ値を示す個別エレメントを操作不可なマスク状態で表示させ、さらにワンパラメータ値を示すワンエレメントを表示させるとともに、該ワンエレメントに対するユーザ操作を受け付けて該ワンパラメータ値を変更し、前記パラメータセットの複数パラメータ値を該ワンパラメータ値に基づいて制御する第２編集過程と
を備えることを特徴とするパラメータセットの設定方法。
【請求項２】
請求項１に記載のパラメータセットの設定方法において、
前記第２モード切替過程は、ユーザに再確認する再確認過程を含み、ユーザからの実行の指示があった場合にのみ、前記第１モードから第２モードへの切り替えを行うことを特徴とするパラメータセットの設定方法。
【請求項３】
音響機器に適用する少なくとも１つの信号処理ブロックのパラメータセット設定装置であって、
表示手段と、
ユーザによる第２モードから第１モードへの切替指示を受付けたとき、前記１つの信号処理ブロックのパラメータセットの各パラメータの現在値は維持したまま、当該信号処理ブロックを第２モードから第１モードに切り替える第１モード切替手段と、
当該信号処理ブロックが前記第１モードの間、前記表示手段に、操作対象の信号処理ブロックのパラメータセットの各パラメータ値を示す個別エレメントを操作可能な非マスク状態で表示させるとともに、何れかの個別エレメントに対するユーザ操作を受け付けて、その個別エレメントに対応するパラメータ値を変更する第１編集手段と、
ユーザによる第１モードから第２モードへの切替指示を受け付けたとき、当該信号処理ブロックのパラメータセットのパラメータを初期化するとともに、当該信号処理ブロックを第１モードから第２モードに切り替える第２モード切替手段と、
当該信号処理ブロックが前記第２モードの間、前記表示手段に、操作対象の信号処理ブロックのパラメータセットの各パラメータ値を示す個別エレメントを操作不可なマスク状態で表示させ、さらにワンパラメータ値を示すワンエレメントを表示させるとともに、該ワンエレメントに対するユーザ操作を受け付けて該ワンパラメータの値を変更し、前記パラメータセットの複数パラメータ値を該ワンパラメータ値に基づいて制御する第２編集手段と
を備えることを特徴とするパラメータセットの設定装置。
【発明の詳細な説明】
【技術分野】
【０００１】
この発明は、デジタルミキサなどに適用するパラメータセットの設定方法および設定装置に関する。
【背景技術】
【０００２】
デジタルミキサなどの音響信号の処理装置では、通常、複数の入力チャンネル（ｃｈ）や出力ｃｈなどの信号処理ｃｈが備えられている。通常、各ｃｈは複数の信号処理ブロックから構成される。例えば入力ｃｈであれば、アッテネータ（Ａｔｔ）、イコライザ（ＥＱ）、ゲート（Ｇａｔｅ）、コンプレッサ（Ｃｏｍｐ）などの信号処理ブロックである。各信号処理ブロックは、それぞれ設定された複数のパラメータに基づいて信号処理を実行する。それらのパラメータの値は、ユーザがｃｈ毎に、操作パネル上の各種操作子を操作することなどにより任意に設定することができる。通常、１つの信号処理ブロックの動作を規定する複数のパラメータは、各パラメータに対応する複数の個別操作子で制御される。
【０００３】
また、１つの共通操作子で、複数のパラメータを連動制御する技術が知られている。例えば、下記特許文献１には、共通操作子である１つのノブを操作することにより、複数のパラメータ項目を所定の変化テーブルに従って連動して変更できるパラメータ設定装置が開示されている（引用文献１の段落００１８，００２４〜００２８など）。
【先行技術文献】
【特許文献】
【０００４】
【特許文献１】特開２００４−１２８４２
【発明の概要】
【発明が解決しようとする課題】
【０００５】
上述の複数の個別操作子で複数のパラメータを制御する方式と、１つの共通操作子で複数のパラメータを連動制御する方式とを組み合わせると、複数のパラメータの値を複数の個別操作子および１つの共通操作子で操作できるパラメータ設定装置が得られる。しかし、この場合、複数のパラメータ値が、１つの共通操作子で連動設定された値なのか、多数の個別操作子でそれぞれ個別に設定された値なのかは、個々のパラメータ値を見ただけでは判らないという問題がある。
【０００６】
本発明は、複数の個別操作子で複数のパラメータを制御する方式と、１つの共通操作子で複数のパラメータを連動制御する方式とを組み合わせた場合でも、ユーザにとって判りやすく使い勝手のよいパラメータ設定技術を提供することを目的とする。
【課題を解決するための手段】
【０００７】
上記目的を達成するため、請求項１に係る発明は、信号処理ブロックと表示手段とを備えた音響機器に適用する、少なくとも１つの信号処理ブロックのパラメータセットの設定方法であって、ユーザによる第２モードから第１モードへの切替指示を受け付けたとき、前記１つの信号処理ブロックのパラメータセットの各パラメータ値は維持したまま、当該信号処理ブロックを第２モードから第１モードに切り替える第１モード切替過程と、当該信号処理ブロックが前記第１モードの間、前記表示手段に、操作対象の信号処理ブロックのパラメータセットの各パラメータ値を示す個別エレメントを操作可能な非マスク状態で表示させるとともに、何れかの個別エレメントに対するユーザ操作を受け付けて、その個別エレメントに対応するパラメータ値を変更する第１編集過程と、ユーザによる第１モードから第２モードへの切替指示を受付けたとき、当該信号処理ブロックのパラメータセットのパラメータを初期化するとともに、当該信号処理ブロックを第１モードから第２モードに切り替える第２モード切替過程と、当該信号処理ブロックが前記第２モードの間、前記表示手段に、操作対象の信号処理ブロックのパラメータセットの各パラメータ値を示す個別エレメントを操作不可なマスク状態で表示させ、さらにワンパラメータ値を示すワンエレメントを表示させるとともに、該ワンエレメントに対するユーザ操作を受け付けて該ワンパラメータ値を変更し、前記パラメータセットの複数パラメータ値を該ワンパラメータ値に基づいて制御する第２編集過程とを備えることを特徴とする。
【０００８】
請求項２に係る発明は、請求項１に記載のパラメータセットの設定方法において、前記第２モード切替過程は、ユーザに再確認する再確認過程を含み、ユーザからの実行の指示があった場合にのみ、前記第１モードから第２モードへの切り替えを行うことを特徴とする。
【０００９】
請求項３に係る発明は、音響機器に適用する少なくとも１つの信号処理ブロックのパラメータセット設定装置であって、表示手段と、ユーザによる第２モードから第１モードへの切替指示を受付けたとき、前記１つの信号処理ブロックのパラメータセットの各パラメータの現在値は維持したまま、当該信号処理ブロックを第２モードから第１モードに切り替える第１モード切替手段と、当該信号処理ブロックが前記第１モードの間、前記表示手段に、操作対象の信号処理ブロックのパラメータセットの各パラメータ値を示す個別エレメントを操作可能な非マスク状態で表示させるとともに、何れかの個別エレメントに対するユーザ操作を受け付けて、その個別エレメントに対応するパラメータ値を変更する第１編集手段と、ユーザによる第１モードから第２モードへの切替指示を受け付けたとき、当該信号処理ブロックのパラメータセットのパラメータを初期化するとともに、当該信号処理ブロックを第１モードから第２モードに切り替える第２モード切替手段と、当該信号処理ブロックが前記第２モードの間、前記表示手段に、操作対象の信号処理ブロックのパラメータセットの各パラメータ値を示す個別エレメントを操作不可なマスク状態で表示させ、さらにワンパラメータ値を示すワンエレメントを表示させるとともに、該ワンエレメントに対するユーザ操作を受け付けて該ワンパラメータの値を変更し、前記パラメータセットの複数パラメータ値を該ワンパラメータ値に基づいて制御する第２編集手段とを備えることを特徴とする。
【００１０】
なお、上記第１モードは後述する実施形態のワンノブモードがオフの状態に相当し、上記第２モードはワンノブモードがオンの状態に相当する。上記個別エレメントは実施形態の個別操作子に相当し、上記ワンエレメントは実施形態のワン操作子に相当する。
【発明の効果】
【００１１】
本発明によれば、ある信号処理ブロックを上記第１モードから第２モードに切り替える際に、その信号処理ブロックの全パラメータが初期化され、第２モードの間は、個別エレメントがマスクされてワンエレメントのみが操作可能になるので、ユーザは、個別エレメントによる過去の設定値を全く気にすることなく、ワンエレメントの操作だけにフォーカスしてその信号処理ブロックを制御することができる。また、上記第２モードから第１モードに切り替える際は、全パラメータ値を引き継いだまま個別エレメントのマスクが解除されるため、ユーザは、ワンエレメントによる設定値をベースにして、複数の個別エレメントを用いてその信号処理ブロックの詳細な制御することができる。さらに、第２モードでは、個別エレメントがマスクされ、かつ、ワンエレメントは第２モードでのみ表示されるため、ユーザは、それら個別エレメントおよびワンエレメントの表示状態をみて、現在第１モードであるのか第２モードなのかを、容易に認識することができる。第１モードから第２モードへの切替時にユーザに再確認するようにすれば、ユーザが間違って第２モードに切り替えることにより、個別エレメントで詳細に調整されたパラメータ値が失われるのを防止できる。
【図面の簡単な説明】
【００１２】
【図１】この発明を適用した一実施形態であるデジタルミキサのハードウェア構成図
【図２】実施形態のミキサにおける操作パネルの一部外観図
【図３】実施形態のミキサにおける信号処理のブロック図
【図４】実施形態のミキサにおける入力チャンネルの概略構成を示すブロック図
【図５】ホーム画面の例を示す図
【図６】コンプレッサのワンノブモードオフ詳細画面の例（その１）を示す図
【図７】コンプレッサのワンノブモードオフ詳細画面の例（その２）を示す図
【図８】コンプレッサのワンノブモードオン詳細画面の例（その１）を示す図
【図９】コンプレッサのワンノブモードオン詳細画面の例（その２）を示す図
【図１０】再確認ダイアログの例を示す図
【図１１】コンプレッサのワンノブモードオフ詳細画面（初期状態）の例を示す図
【図１２】ホーム画面における処理を示すフローチャート
【図１３】ワンノブモードオフ詳細画面における処理を示すフローチャート
【図１４】ワンノブモードオン詳細画面における処理を示すフローチャート
【発明を実施するための形態】
【００１３】
以下、図面を用いて本発明の実施の形態を説明する。
【００１４】
図１は、本発明を適用した一実施形態であるデジタルミキサのハードウェア構成を示すブロック図である。中央処理装置（ＣＰＵ）１０１は、このミキサ全体の動作を制御する処理装置である。フラッシュメモリ１０２は、ＣＰＵ１０１が実行する各種のプログラムや各種のデータなどを格納した不揮発性メモリである。ランダムアクセスメモリ（ＲＡＭ）１０３は、ＣＰＵ１０１が実行するプログラムのロード領域やワーク領域に使用する揮発性メモリである。ＲＡＭ１０３には、カレントメモリと呼ばれる記憶領域が設けられており、ＣＰＵ１０１は、該カレントメモリに記憶された各種パラメータに基づいて、後述する信号処理部１０９の動作を制御する。電動フェーダ１０４は、このミキサの操作パネル上に設けられたレベル設定用の操作子である。ＰＣ用Ｉ／Ｏ（入出力インターフェース）１０５は、ＰＣ（パーソナルコンピュータ）と接続するためのインターフェースである。
【００１５】
表示器１０６は、操作パネル上に設けられた各種の情報を表示するためのディスプレイであり、ユーザによるタッチ操作が検出可能なタッチパネルである。操作子１０７は、操作パネル上に設けられたユーザが操作するための各種の操作子（電動フェーダ以外のロータリーエンコーダ、スイッチ、ボタン等）である。なお、図１中で太線で表現したブロックは操作パネルの構成要素である。波形Ｉ／Ｏ（オーディオ信号入出力インターフェース）１０８は、外部機器との間で音響信号をやり取りするためのインターフェースである。信号処理部（ＤＳＰ）１０９は、ＣＰＵ１０１の指示に基づいて各種のマイクロプログラムを実行することにより、波形Ｉ／Ｏ１０８経由で入力した音響信号のミキシング処理、効果付与処理、及び音量レベル制御処理などの信号処理を行い、処理後の音響信号を波形Ｉ／Ｏ１０８経由で出力する。バス１１０は、これら各部を接続するバスラインであり、コントロールバス、データバス、およびアドレスバスを総称したものである。なお、本明細書に記載されている「信号」は、特段の説明がない限り（制御信号であると説明されていない限り）、音響信号（オーディオ信号）を表すものである。
【００１６】
図２は、本実施形態のデジタルミキサの操作パネルの外観（一部）を示す。操作パネル上には、タッチパネル２０１（図１の表示器１０６）とともに各種の操作子が配置されている。２０２はホームボタンであり、後述するホーム画面（図５）をタッチパネルに呼び出すことを指示するボタンである。２０３はタッチパネルに表示された操作子の中の、カーソルで選択された操作子のパラメータ値を制御するための１つの物理ノブ（ロータリーエンコーダ）であり、ここでは「汎用ノブ」と呼ぶ。２０４は複数のレイヤボタンである。レイヤボタンｉ１〜ｉ３は、それぞれ、入力チャンネル（ｃｈ）１〜８、入力ｃｈ９〜１６、および入力ｃｈ１７〜２４の各レイヤのホーム画面を呼び出すためのレイヤボタンである。レイヤボタンｏ１，ｏ２は、それぞれ、出力ｃｈ１〜８および出力ｃｈ９〜１２の各レイヤのホーム画面を呼び出すためのレイヤボタンである。これら５つのレイヤボタンは、常にユーザが最後に押下した何れか１つのレイヤボタンのみがオン状態になるように制御されている。
【００１７】
図３は、本実施形態のミキサにおける信号処理のブロック図である。同図の信号処理は、図２の波形Ｉ／Ｏ１０８およびＤＳＰ１０９により実現される。入力ポート３０１は、マイクや楽器などの信号供給源から入力したアナログ音響信号をデジタル音響信号に変換して入力する複数の入力ポートを示す。入力ｃｈ３０２は、カレントメモリに設定された各入力ｃｈ毎のパラメータに基づいて、各入力ポートからのデジタル音響信号に対するレベル制御や周波数特性の調整処理などの信号処理を行う。ここでは２４個の入力ｃｈが設けてある。各入力ｃｈの出力は、少なくとも１２本のバスを含むバス３０３のそれぞれに出力することができ、各バスへの送出レベルは入力ｃｈ毎に任意に設定できる。各バス３０３は、各入力ｃｈから入力した信号をミキシングする。ミキシングされた信号は、そのバスに対応する出力ｃｈ３０４に出力される。バス３０３と出力ｃｈ３０４とは、１本のバスが１本の出力ｃｈに１対１で対応している。各出力ｃｈは、カレントメモリに設定されたパラメータの値に基づいて出力側の各種の信号処理を行う。出力ポート３０５は、出力ｃｈ３０４の各出力ｃｈからの音響信号をそれぞれアナログ音響信号に変換して出力する複数の出力ポートを示す。
【００１８】
図４は、入力ｃｈ３０２のうちの１つのｃｈの信号処理ブロックの概略構成を示すブロック図である。アッテネータ（Ａｔｔ）４０１は、当該ｃｈへ入力する信号に対してその入り口部分でのレベル制御を行う。イコライザ（ＥＱ）４０２は信号の周波数特性を調整する。ゲート（Ｇａｔｅ）４０３は、信号レベルが下がったときにノイズが残らないように、信号のレベルを絞るノイズゲートである。コンプレッサ（Ｃｏｍｐ）４０４は、信号のダイナミックレンジを圧縮する自動ゲイン調整を行う。レベル（Ｌｅｖｅｌ）４０５は、信号の各バスへの送出レベルを調整するレベル調整部である。パン（Ｐａｎ）４０６は、信号をステレオで出力する場合の左右定位（パン）の制御を行う。これら複数の各信号処理ブロックで行われる信号処理は、それぞれ、カレントメモリの当該ｃｈのパラメータに含まれる、当該信号処理ブロックに対応するパラメータセットのパラメータ値により制御される。図示しないが、出力ｃｈ３０４は、例えばイコライザ、コンプレッサ、およびレベル調整部などの信号処理ブロックにより構成されており、同様に、カレントメモリの当該出力ｃｈのパラメータにより制御されている。
【００１９】
図５は、入力ｃｈ１〜８のレイヤのホーム画面の例を示す。この画面は、ユーザが、レイヤボタンｉ１をオンして入力ｃｈ１〜８を選択したときや、入力ｃｈ１〜８が選択されている状態でホームボタン２０２をオンしたときに表示される。他のレイヤのホーム画面も、同様に、レイヤボタンやホームボタンの操作により表示される。
【００２０】
５００−１〜５００−８は、それぞれ、入力ｃｈ１〜８の各ｃｈのパラメータ設定状況を表示する縦長の表示領域（以下「ｃｈ表示領域」と呼ぶ）である。１ｃｈ分のｃｈ表示領域、例えば５００−１において、５０１−１は当該領域で表示している入力ｃｈのｃｈ番号と名称の表示である。この表示５０１−１は、ホーム画面内で必ず画面の下側に固定的に表示される。５１１−１，５１２−１，５１３−１，５１４−１の４つの領域は、順に、当該ｃｈのアッテネータ４０１、イコライザ４０２、ゲート４０３、およびコンプレッサ４０４の各信号処理ブロックのパラメータセットの一部パラメータを表示する領域（以下、１つの信号処理ブロックのパラメータを表示する領域を「ブロック表示領域」と呼ぶ）である。
【００２１】
なお、上記はｃｈ１のｃｈ表示領域５００−１について説明したが、ｃｈ２〜８のｃｈ表示領域５００−２〜５００−８も同様である。上記の番号５１１〜５１４に、枝番として−２を付けてｃｈ２の各ブロック表示領域を表し、以下同様に枝番として−３〜−８を付けて以降のｃｈのブロック表示領域を表すものとする。
【００２２】
コンプレッサ４０４のパラメータを表示する各ｃｈのブロック表示領域５１４−１〜５１４−８の下側には各ｃｈのレベル４０５およびパン４０６のパラメータを表示するブロック表示領域が隠れており、表示されているブロック表示領域に対して上方向にスワイプ操作を行うと、ブロック表示領域が上にスクロールしてそれらの隠れているブロック表示領域が表示される。
【００２３】
５２０はカーソルを示す太線の表示である。ユーザは、表示されているホーム画面内の任意のブロック表示領域に１回タッチすることで、そのブロック表示領域にカーソル５２０をセットすることができる。カーソル５２０がセットされたブロック表示領域を「選択された」領域あるいは「選択状態にある」領域と呼ぶ。画面上で選択状態にあるブロック表示領域は常に１つのみである。ホーム画面５００では、選択状態にあるブロック表示領域のパラメータを汎用ノブ２０３を用いて制御できるが、これについては後に詳しく説明する。図５では、ｃｈ表示領域５００−２すなわち入力ｃｈ２のｃｈ表示領域中のコンプレッサのパラメータを表示するブロック表示領域５１４−２が選択状態にある。
【００２４】
ユーザが、選択状態にあるブロック表示領域を再度タッチすると、そのブロック表示領域に対応する当該ｃｈの当該信号処理ブロックのパラメータセットの設定を行うための詳細画面が表示される。例えば、後述する図６や図８は、何れかのｃｈのコンプレッサのパラメータを表示するブロック表示領域５１４−ｉ（ｉはｃｈ番号）が選択状態にあるとき、再度、その領域５１４−ｉをタッチしたときに表示されるコンプレッサの詳細画面の例である。
【００２５】
ここで、本発明を特徴づける１つのパラメータである、ワンノブモードについて説明する。本ミキサでは、各ｃｈの各信号処理ブロックごとにワンノブモードを設定できる。ワンノブモードを持たない信号処理ブロックがあってもよい。本実施形態では、図４で説明した各信号処理ブロックのうち、アッテネータ、ゲート、レベル、およびパンはワンノブモードを持たず、イコライザおよびコンプレッサはワンノブモードを持つ。以下、コンプレッサのワンノブモードに注目して説明する。
【００２６】
ワンノブモードはオンまたはオフの何れかの状態をとる。オン／オフの切替は、後述する詳細画面中に表示されるワンノブボタン（例えば図６の６０２や図８の８０２）をタッチすることで行われる。ワンノブモードがオンのとき（第２モード）、操作対象の信号処理ブロックの複数のパラメータは、１つの共通操作子で連動制御され、各パラメータに対応する個別操作子では制御できない。ワンノブモードがオフのとき（第１モード）、上記複数のパラメータは、それぞれに対応する個別操作子で個別に制御され、共通操作子では制御できない。なお、上記共通操作子や個別操作子は、操作パネル上の物理操作子だけでなく、画面上に表示された操作子の表示イメージをタッチしてスライド等させることで値を設定するものを含むものとする。
【００２７】
ホーム画面５００内の複数のブロック表示領域の一部には、左上に数字の１を○で囲んだアイコンが表示されている。このアイコンを「ワンノブアイコン」と呼ぶ。ワンノブアイコンは、当該ブロック表示領域に対応する信号処理ブロックのワンノブモードがオン状態にあることを示す。例えば、ワンノブアイコン５２１は、それが表示されているブロック表示領域５１４−１の信号処理ブロック、すなわちｃｈ１のコンプレッサのワンノブモードがオンされていることを示している。一方、ｃｈ２のコンプレッサのブロック表示領域５１４−２には、ワンノブアイコンが表示されていないので、ｃｈ２のコンプレッサのワンノブモードはオフ状態である。元々ワンノブモードを持たないアッテネータやゲートのブロック表示領域５１１−ｉ，５１３−ｉにワンノブアイコンが表示されることはない。
【００２８】
図６は、図５のホーム画面の例えばｃｈ２のコンプレッサ（ワンノブモードオフ）のブロック表示領域５１４−２が選択状態にあるとき、さらに、同領域５１４−２をユーザがタッチすることにより表示される、ワンノブモードがオフの場合の、コンプレッサの詳細画面６００の例である。６０１は、この詳細画面がコンプレッサのパラメータを設定する詳細画面であることを示す見出し表示である。６０２は、ワンノブモードのオン／オフを切り替えるためのワンノブボタンである。図６では、ワンノブボタン６０２がオフされていることを示す態様（図では網掛け付きで示した）で表示されている。６０３は当該ｃｈのコンプレッサ４０４に入力する信号の現在のレベルを示すレベルメータ、６０４は当該コンプレッサにおける信号の現在の圧縮量を示すゲインリダクションメータ、６０５は当該コンプレッサから出力される信号の現在のレベルを示すレベルメータである。これらメータ表示は、入力する信号に応じて絶えず変化する。
【００２９】
６１１〜６１６は当該コンプレッサの信号処理動作を規定する複数のパラメータ（パラメータセット）を個別に設定するための個別操作子（個別エレメント）である。６１１はどのレベルを超えたら圧縮を行うかを示す閾値であるスレッショルドを設定するための操作子、６１２はその超えた量に応じて圧縮する割合を表すレシオを設定するための操作子、６１３はスレッショルド値を越えてから、圧縮量がその対応値に立ち上るまでの遅延時間を表すアタックタイムを設定するための操作子、６１４はスレッショルド値を下回ってから、圧縮量がその対応値に立ち下がるまでの遅延時間を表すリリースタイムを設定するための操作子、６１５は出力信号のゲイン値であるアウトプットゲインを設定するための操作子、６１６はスレッショルドにおける圧縮のかかり具合を制御するニー値を設定するための操作子である。
【００３０】
上記操作子６１１〜６１５はスライダ型操作子であり、画面上の該スライダ型操作子のツマミ部分（例えば操作子６１１であればツマミ６３１）を指でタッチしながら該操作子の長手方向にスライドさせることでパラメータ値を変更することができる。また、操作子６１１〜６１５のうちの１つをタッチして選択状態とし、物理ノブである汎用ノブ２０３を操作することにより、該選択状態の個別操作子のパラメータ値を変更することもできる。その場合、汎用ノブ２０３は、選択状態の個別操作子のパラメータを設定するための操作子として機能している。操作子６１６はボタン型操作子であり、ユーザが、Ｓｏｆｔ、Ｍｅｄ、またはＨａｒｄの３つのボタンの何れかをタッチすることで、択一的にニー値を設定することができる。
【００３１】
ここで設定されたスレッショルド値は、操作子６１１のツマミ位置および数値６１２として表示され、設定されたレシオ値は、操作子６１２のツマミ位置および数値６２２として表示され、設定されたアタックタイム値は、操作子６１３のツマミ位置および数値６２３として表示され、設定されたリリースタイム値は、操作子６１４のツマミ位置および数値６２４として表示され、設定されたアウトプットゲイン値は、操作子６１５のツマミ位置および数値６２５として表示される。６２６は設定されたスレッショルド値とレシオ値とニー値に基づくコンプレッションカーブの表示である。ボタン型操作子６１６は、３つのボタンのうち現在オンされている１つのボタンの表示を、オフされている他の２つのボタンとは異なる態様でオン表示することで、設定されたニー値を表している。
【００３２】
図７は、図６の詳細画面で幾つかのパラメータ値を変更した後の状態を示す。スレッショルド、レシオ、およびアウトプットゲインのそれぞれのスライダ型操作子６１１，６１２，６１５が操作され、それらの操作子のツマミ位置および数値６２１，６２２，６２５，６２６の表示が変更されている。図６、図７に関して説明した、以上のようなパラメータ値の変更が第１編集過程に相当し、その際、ＣＰＵ１０１は第１編集手段として動作する。
【００３３】
図８は、図５のホーム画面の例えばｃｈ１のコンプレッサ（ワンノブモードオン）のブロック表示領域５１４−１が選択状態にあるとき、同領域５１４−１をタッチすることにより表示される、ワンノブモードがオンの場合の、コンプレッサの詳細画面８００の例である。図８中の８００番台の番号が指し示す各部分と図６中の６００番台の番号が指し示す各部分とは、下２桁が同じ番号の部分同士で対応している。見出し８０１、メータ８０３〜８０５、およびコンプレッションカーブ８２６は、図６の対応する部分と同様の表示である。ワンノブボタン８０２は、図６のボタン６０２に対応する表示であるが、オンされていることを示す態様（ここでは網掛け無しで示した）で表示されている。
【００３４】
８４１はワンノブモードがオンのときのみに表示されるスライダ型のワン操作子（ワンエレメント）であり、８４２はそのツマミ部分である。このワン操作子８４１で設定される１つの値を「ワンパラメータ」と呼ぶ。ワンパラメータは０から１００の範囲の整数値をとり、その値が大きいほど信号処理ブロックの信号処理の音響効果が大きくなる。ツマミ部分８４２をタッチしながら該操作子の長手方向に沿って左右にスライドさせることで、ワンパラメータの値を変更できる。ワンノブモードがオンの信号処理ブロックでは、物理ノブである汎用ノブ２０３は、ワン操作子８４１と同様の、ワンパラメータを設定する専用の操作子として機能する。すなわち、図８の詳細画面８００が表示されている場合は、画面上に操作可能な操作子がワン操作子８４１以外無いため、ワン操作子８４１が常に選択状態にあり、汎用ノブ２０３を操作することでワンパラメータの値が変更される。このとき、設定されたワンパラメータの値は、ツマミ８４２の位置と数値８４３に反映される。
【００３５】
本実施形態のミキサのコンプレッサでは、ワンノブモードがオンの場合、ワン操作子８４１乃至汎用ノブ２０３で、スレッショルド、レシオ、およびアウトプットゲインの３つのパラメータを連動制御できる。具体的には、ワンパラメータの値に基づいて上記３つのパラメータ値の組み合わせが１組決まるような変化カーブのデータを用意しておき、設定されたワンパラメータの値で該変化カーブを参照することにより対応する上記３パラメータ値を決定している。図６では、ワンパラメータ値が「９７」（８４１，８４３）に設定され、該ワンパラメータ値に応じて、スレッショルド値「−５２」（８１１，８２１）、レシオ値「６．０：１」（８１２，８２２）、およびアウトプットゲイン値「＋１２．２」（８１５，８２５）が設定されている。ここでは、一部（３つ）のパラメータの変化カーブを用いているため、全パラメータの変化カーブを採用する場合に比べ、データ量や処理にかかるＣＰＵ負荷を削減できる。
【００３６】
スライダ型操作子８１１〜８１５は、図６のスライダ型操作子６１１〜６１５に対応するが、ツマミの表示は無く、ユーザがこれら操作子を用いて個別にパラメータ設定を行うことはできない。また、ボタン型操作子８１６は、図６のボタン型操作子６１６に対応するが、ボタンの上半分に影を付けて（図８では網掛けで表現した）表示され、ユーザが操作することはできない。ワンノブモードがオンのときは、当該信号処理ブロックにおけるパラメータ設定は共通操作子（ワンエレメント）であるワン操作子８４１を通じてのみ行うことができ、個別操作子（個別エレメント）による個々のパラメータ設定はできない。なお、ワンノブモードがオンのとき、必ずしも当該処理ブロックの全てのパラメータを連動制御する必要はない。全パラメータのうち所定の複数のパラメータだけを連動制御し、他のパラメータは固定値のままとしてもよい。本実施形態のミキサのコンプレッサでは、スレッショルド、レシオ、およびアウトプットゲインの３パラメータを共通操作子によって連動制御し、その他のパラメータは固定値としている。なお、本発明では、ワンノブモードオンのとき、ユーザが、共通操作子の操作だけで信号処理ブロックの全パラメータ値を制御できるようにするため、連動制御されない固定値のパラメータについてもマスクするようになっている。
【００３７】
なお、各操作子８１１〜８１５は操作できないが、ツマミ位置に相当する位置に境界線を表示し、その境界線の位置により各パラメータ値を示すようにしている。図８の詳細画面には、当該信号処理ブロックの全パラメータの値、すなわち、ユーザが設定したワンパラメータの値に応じて設定された３パラメータの値、及び、その他の固定値のパラメータの値は、操作子８１１〜８１５の境界線の位置、数値８２１〜８２５、ボタン型操作子８１６のオン表示、および、コンプレッションカーブとして、表示される。
【００３８】
図９は、図８の詳細画面でワンパラメータの値を変更した後の状態を示す。ワン操作子８４１または汎用ノブ２０３の操作によりワンパラメータの値が変更され、ツマミ８４２の位置と表示８４３が変更されている。そして、ワンパラメータの値の変更に応じて、スレッショルド、レシオ、およびアウトプットゲインの３パラメータが変更され、その変更後のパラメータ値に応じて、操作子８１１，８１２，８１５の境界線の位置および数値８２１，８２２，８２５，８２６の表示が変更されている。他のパラメータは図８から変更されていない。図８、図９に関連して説明した、以上のようなパラメータ値の変更が第２編集過程に相当し、その際、ＣＰＵ１０１は第２編集手段として動作する。
【００３９】
次に、ワンノブモードの切替について説明する。図６，７のようなワンノブモードがオフの詳細画面においてワンノブボタン６０２をタッチすること（第１モードから第２モードへの切替指示）で、ワンノブモードをオフ（第1モード）からオン（第２モード）に切り替えることができる。この場合、ワンノブモードがオフのときは、各パラメータは個別操作子で個別に制御可能であるから、コンプレッサのパラメータ値の組み合わせは、ワンパラメータ値で制御できるパラメータ値の組み合わせから外れている可能性が高い。そこで、本実施形態のミキサでは、ワンノブモードがオフからオンに切替るときには、当該信号処理ブロックの全パラメータ（パラメータセット）を、所定値のワンパラメータに対応する初期値に初期化することとした。
【００４０】
図１０は、図６，７のワンノブモードオフの場合の詳細画面でワンノブボタン６０２をタッチしたときに、その詳細画面の手前に表示される再確認ダイアログの例を示す。ダイアログ１０００は、本当にワンノブモードオンにするかを再確認するメッセージと、キャンセルボタンおよびＯＫボタンを含む。メッセージには、ＯＫすると全パラメータが初期化されるとの注意書きを含めてもよい。ユーザがキャンセルボタンをタッチ（中止を選択）すると、ワンノブモードがオフのまま当ダイアログは消去され、元の詳細画面に戻る。ユーザがＯＫボタンをタッチ（実行を選択）すると、ワンノブモードがオンに変更されるとともに、処理対象の信号処理ブロックの全パラメータが初期化され、ワンノブモードオンの場合の詳細画面が表示される。このような再確認ダイアログ１０００を表示することにより、ワンノブモードをオフからオンに切り替える際にパラメータが初期化されることを、ユーザに注意喚起できる。
【００４１】
以上に説明したワンノブモードのオフからオンへの切り替えが第２モード切替過程に相当し、その際、ＣＰＵ１０１は第２モード切替手段として動作する。また、その途中における、再確認ダイアログを用いたユーザへの再確認の処理が再確認過程に相当する。
【００４２】
図１１は、図６，７の詳細画面でワンノブボタン６０２をタッチして表示された図１０のダイアログ１０００でＯＫボタンをタッチし、ワンノブモードがオンに変更されたときに表示される、コンプレッサの詳細画面１１００の例を示す。図１１中の１１００番台の番号が指し示す各部分と図８中の８００番台の番号が指し示す各部分とは、下２桁が同じ番号の部分同士で対応している。ここでは、コンプレッサの全パラメータが、値が０のワンパラメータに対応する値に初期化されている。ワンパラメータの値が０のとき、コンプレッサによる圧縮効果は最小とされ、入力する信号がそのまま出力される。ワンパラメータ値の０は、ワン操作子１１３１のツマミ位置および数値１１３２として表示され、初期化されたパラメータ値に基づいて、各操作子１１１１〜１１１５、数値１１２１〜１１２５、ボタン１１１６、および、コンプレッションカーブの表示が制御される。なお、ボタン１１１６のニー（Knee）値の初期値は「Med」とされ、該ボタン１１１６は操作できないようにされている。ワンノブモードをオンした後、ユーザは、図１１の状態を起点として、ワン操作子１１３１または汎用ノブ２０３を操作して、図８，９のようにパラメータ設定を行うことができる。
【００４３】
図８，９，１１のようなワンノブモードがオンの詳細画面においてワンノブボタン８０２，１１０２をタッチすること（第２モードから第１モードへの切替指示）で、ワンノブモードをオン（第２モード）からオフ（第１モード）に切り替えることができる。この場合、初期化されることなく、切替時点のコンプレッサの全パラメータ値（パラメータセット）をそのまま引き継いで図６，７のようなワンノブモードオフ詳細画面に移行する。ここでは、パラメータ値がそのまま引き継がれるので、再確認ダイアログは表示されない。
【００４４】
以上に説明したワンノブモードのオンからオフへの切り替えが第１モード切替過程に相当し、その際、ＣＰＵ１０１は第１モード切替手段として動作する。
【００４５】
図６〜９，１１に示されるようなあるｃｈのある信号処理ブロックの詳細画面からホームボタン２０２をオンすることで、図５に示されるようなそのｃｈを含むレイヤのホーム画面に戻ることができる。ホーム画面に戻ったとき、カーソルは、その信号処理ブロックに対応するブロック表示領域にセットされる。詳細画面は、もともとホーム画面中のある信号処理ブロックの表示領域をタッチすることで表示されるが、ホーム画面に戻ったときは、同じ信号処理ブロックの表示領域にカーソルが表示される。ただし、詳細画面においては、処理対象を別のｃｈの同じ信号処理ブロックに変更できるので、カーソルが配置されるのは同じｃｈの表示領域とは限らず、別のｃｈの同じ信号処理ブロックの表示領域となる可能性がある。ある信号処理ブロックの詳細画面でワンノブモードのオン／オフが切り替えられていたときは、ホーム画面に戻ったとき、当該信号処理ブロックのブロック表示領域には、ワンノブモードのオン／オフに応じてワンノブアイコンが表示／非表示される。
【００４６】
図５のホーム画面におけるパラメータの設定について説明する。ホーム画面５００内の任意の信号処理ブロックの表示領域にカーソルをセットして選択状態とし、汎用ノブ２０３を操作することで、その表示領域が選択状態である信号処理ブロックのパラメータを制御できる。この場合、選択状態のブロック表示領域がワンノブモードを持たない信号処理ブロックに対応するものであったときは、その信号処理ブロックの予め決められた１つのパラメータの値を汎用ノブ２０３の操作で変更できる。例えば、ｃｈ１のアッテネータのブロック表示領域５１１−１にカーソルがセットされているときは、汎用ノブ２０３の操作で当該アッテネータの減衰量を制御できる。アッテネータはワンノブモードを持たず、ホーム画面での操作対象は、その減衰量に予め決められている。
【００４７】
ワンノブモードを持つ信号処理ブロックの表示領域が選択状態にあり、かつ、そのワンノブモードがオフのときは、その信号処理ブロックの予め決められた１つのパラメータの値を汎用ノブ２０３の操作で変更できる。このパラメータを「代表パラメータ」と呼ぶ。代表パラメータは、信号処理ブロックの種別ごとに予め決められている。例えば、コンプレッサではスレッショルドが代表パラメータである。従って、ワンノブモードがオフであるｃｈ２のコンプレッサのブロック表示領域５１４−２にカーソルがセットされているときは、汎用ノブ２０３の操作で、当該コンプレッサのスレッショルド値を制御できる。
【００４８】
ワンノブモードを持つ信号処理ブロックの表示領域が選択状態にあり、かつ、ワンノブモードがオンのときは、その信号処理ブロックのワンパラメータの値を汎用ノブ２０３の操作で変更して、その処理ブロックの全パラメータ値を決定できる。例えば、ｃｈ１のコンプレッサのブロック表示領域５１４−１にカーソルがセットされているときは、汎用ノブ２０３の操作で当該コンプレッサのワンパラメータ値を変更し、それに応じて３パラメータ値を連動制御することで、固定のパラメータ値を含む、当該コンプレッサの全パラメータ値を決定できる。
【００４９】
なお、ホーム画面では、各ｃｈの各ブロック表示領域を広くとれないので、各信号処理ブロックのメータやパラメータを全てブロック表示領域に表示することができない。そこで、信号処理ブロックの種別ごとに、予め決められた一部のメータやパラメータの値だけを、対応するブロック表示領域に表示することとしている。例えば、アッテネータのブロック表示領域５１１−ｉでは、減衰量などの所定のパラメータのみ表示する。特に、ワンノブモードを持つ信号処理ブロックの場合は、対応するブロック表示領域に、ワンノブモードがオンのときはワンパラメータの値が表示され、ワンノブモードがオフのときは上記代表パラメータの値が表示される。例えば、コンプレッサのブロック表示領域５１４には、基本的な表示要素としてゲインリダクションメータと出力信号のレベルメータとが表示されるが、さらに、ワンノブモードがオンの表示領域５１４−１では、右上にワンパラメータの現在値「９７」が表示され、また、ワンノブモードがオフの表示領域５１４−２では、右上に代表パラメータであるスレッショルド値「−３２」が表示される。
【００５０】
次に、図１２〜１４を参照して、上述の動作を実現するための制御ＣＰＵ１０１の処理手順を説明する。なお、カレントメモリには各ｃｈの各信号処理ブロックの全パラメータ値（パラメータセット）が保持されており、上述のホーム画面や詳細画面におけるパラメータ値の表示には、常に、該カレントメモリに保持されているパラメータ値が反映される。また、下記の処理手順における各種パラメータ値の変更は、カレントメモリ上の対応するパラメータデータを変更することである。カレントメモリ上のパラメータデータは、常時、ＣＰＵ１０１のバックグラウンド処理（図示せず）で、ＤＳＰ１０９における信号処理に反映されている。また、各ｃｈのワンノブモードのオン／オフの設定値もカレントメモリ上に記憶されている。
【００５１】
図１２（ａ）は、ホーム画面において、あるｃｈのコンプレッサの詳細画面を開く処理のフローである。この処理は、ホーム画面内の何れかのｃｈのコンプレッサのブロック表示領域が選択されている状態で、ユーザによりその領域がタッチされたときに実行される。ステップ１２０１で当該コンプレッサのワンノブモードのオン／オフを判別する。ワンノブモードがオフ状態なら、ステップ１２０２で当該ｃｈのコンプレッサの、ワンノブモードオフの場合の詳細画面（図６，７）を表示し、オン状態なら、ステップ１２０３で当該ｃｈのコンプレッサの、ワンノブモードオンの場合の詳細画面（図８，９）を表示する。
【００５２】
図１２（ｂ）は、ホーム画面において、あるｃｈのコンプレッサに対する汎用ノブ２０３の操作が為されたときの処理フローである。この処理は、ホーム画面内の何れかのｃｈのコンプレッサのブロック表示領域が選択されている状態で汎用ノブ２０３が操作されたときに実行される。
【００５３】
ステップ１２１１で当該ｃｈのコンプレッサのワンノブモードのオン／オフを判別する。ワンノブモードがオフなら、ステップ１２１２で、汎用ノブ２０３の操作量に応じて、カレントメモリ上の当該ｃｈのコンプレッサのスレッショルド値を増減する。次にステップ１２１３で、ホーム画面の当該ｃｈのスレッショルド値の表示を更新する。ステップ１２１１でワンノブモードがオンならば、ステップ１２１４で、汎用ノブ２０３の操作量に応じて、カレントメモリ上の当該ｃｈのコンプレッサのワンパラメータの値を増減する。次にステップ１２１５で、ワンパラメータの値に応じて上述の３パラメータの値を決定し、カレントメモリ上のそれら３パラメータの値を設定する。ステップ１２１６で、ホーム画面の当該ｃｈのコンプレッサのワンパラメータ値の表示を更新する。
【００５４】
図１３（ａ）は、ワンノブモードオフのコンプレッサの詳細画面における個別操作子の操作時の処理のフローである。この処理は、例えば、図６，７の詳細画面内の個別操作子６１１〜６１５が操作されたときに実行される。なお、個別操作子６１１〜６１５のうちの１つをタッチして選択状態とし汎用ノブ２０３を操作した場合も、本処理が実行される。ステップ１３０１で、個別操作子の操作量に応じて、カレントメモリ中の対応するパラメータの値を増減する。ステップ１３０２で、変更されたパラメータ値に基づいて、当該個別操作子のツマミ位置、数値の表示を更新するとともに、必要に応じて、コンプレッションカーブも表示更新する。
【００５５】
図１３（ｂ）は、ワンノブモードオフのコンプレッサの詳細画面におけるワンノブボタンの操作時の処理のフローである。この処理は、例えば、図６，７の詳細画面内のワンノブボタン６０２が操作されたときに実行される。ステップ１３１１で、詳細画面の手前に図１０の再確認ダイアログ１０００を表示してユーザの入力を受け付ける。ＯＫが選択されたときは、ステップ１３１２から１３１３に進み、カレントメモリ上の当該ｃｈのコンプレッサのワンノブモードをオフからオンに切り替える。次にステップ１３１４で、カレントメモリ上の当該ｃｈのコンプレッサの全パラメータおよびワンパラメータを初期化する。次にステップ１３１５で、図１１のような当該ｃｈのコンプレッサの、ワンノブモードオンの場合の詳細画面（初期状態）を表示する。ステップＳ１３１１でキャンセルが選択されたときは、ステップ１３１２からそのまま（再確認ダイアログは消去して）処理を終了する。
【００５６】
図１４（ａ）は、ワンノブモードオンのコンプレッサの詳細画面におけるワン操作子の操作時の処理のフローである。この処理は、例えば、図８，９の詳細画面においてワン操作子８４１または汎用ノブ２０３が操作されたときに実行される。ステップ１４０１で、ワン操作子または汎用ノブの操作量に応じて、カレントメモリ中の対応するワンパラメータの値を増減する。ステップ１４０２で、ワンパラメータの値で変化カーブを参照することにより上述の３パラメータの値を決定し、カレントメモリ上のそれら３パラメータの値を設定する。ステップ１４０３で、詳細画面のワン操作子のツマミ位置および数値の表示、３パラメータの操作子のそれぞれの境界線の位置および数値の表示、並びにコンプレッションカーブの表示を更新する。
【００５７】
図１４（ｂ）は、ワンノブモードオンのコンプレッサの詳細画面におけるワンノブボタンの操作時の処理のフローである。この処理は、例えば、図８，９の詳細画面内のワンノブボタン８０２が操作されたときに実行される。ステップ１４１１で、カレントメモリ上の当該ｃｈのコンプレッサのワンノブモードをオンからオフに切り替える。次にステップ１４１２で、当該ｃｈのコンプレッサの、ワンノブモードオフの場合の詳細画面を表示する。
【００５８】
上記実施形態によれば、ある信号処理ブロックに関して、ホーム画面と詳細画面の何れの場合も、そのワンノブモードをオンにしたときには、ワン操作子８４１または汎用ノブ２０３によるワンパラメータ経由の制御だけが有効で、他の操作子よる制御は無効になり、かつ、そのワンパラメータの値を画面上で確認できるようにしているので、ユーザはワンパラメータの設定状況のみにフォーカスしてその信号処理ブロックの設定を行うことができる。従って、初心者でも容易に設定ができる。また、ワンノブモードオンで大まかな設定を行った後、ワンノブモードオフとしてさらに詳細に設定を行うこともできる。
【００５９】
ホーム画面では、ユーザは、任意の信号処理ブロックの表示領域を選択して汎用ノブ２０３でパラメータ設定できるので、操作対象の信号処理ブロックを簡単に切り替えながらパラメータ設定が行える。この場合、ワンノブモードオンの信号処理ブロックでは、ワンパラメータの値で全パラメータ値が特定される確定的な制御ができ、ワンノブモードオフの信号処理ブロックでは、代表パラメータ値とそれ以外の個別に調整されたパラメータ値とによる柔軟な制御ができるので、ホーム画面において使い勝手のよいパラメータ設定を行える。
【００６０】
なお、上記実施形態では主としてコンプレッサを例として説明したが、本発明はその他の信号処理ブロックのパラメータ設定に適用することもできる。また、上記実施形態ではミキサの入力ｃｈの信号処理ブロックのパラメータ設定を例として説明したが、本発明はミキサの出力ｃｈやその他、レコーダー、アンプ、スピーカー等、任意の音響機器の任意のｃｈの各種信号処理ブロックのパラメータ設定にも適用可能である。
【００６１】
上記実施形態では、汎用ノブ２０３は１つのみ備える例で説明したが、例えば図５のホーム画面５００が表示される表示器２０１の各ｃｈ表示領域５００−１〜５００−８の下側に、汎用ノブ２０３の代わりになる８つの物理ノブを設けてもよい。この場合、カーソル５２０は行単位に８ｃｈ分のブロック表示領域を選択するようにし（例えばコンプレッサであれば、１つのレイヤ分のブロック表示領域５１４−１〜５１４−８の全てが選択されるようにする）、上記８つの物理ノブで、選択された８ｃｈ分のそれぞれのブロック表示領域でのパラメータ設定をパラに行うようにしてもよい。また、詳細画面における操作は全てタッチパネルだけでも行えるので、物理ノブを１つも備えない構成としてもよい。
【００６２】
上記実施形態では、ワンノブモードオンのコンプレッサにおいてワンパラメータに基づいて３パラメータを連動制御する例を説明したが、連動制御するパラメータの数は３に限らず、各信号処理ブロックごとに任意の数のパラメータは適宜決めておけばよい。
【００６３】
上記実施形態では、ワンパラメータから３パラメータを決定する変化カーブを１つだけ用意したが、用意された複数の変化カーブから１つを選んで使用するようにしてもよい。また、変化カーブが決定するのは３パラメータ値に限らない。変化カーブでどのパラメータ値を決定するかは、変化カーブ毎に異なっていてもよい。その場合、変化カーブで決定されないパラメータ値は、上記実施形態と同様に、固定値とすればよい。さらに、処理する音響信号の種類に応じて異なる変化カーブ（すなわち異なる制御ルール）を選択的に適用してもよい。具体的には、各ｃｈに対し、処理する音響信号のタイプ（打楽器系の音なのかボーカル系の音なのかなど）を設定し、そのタイプに応じて変化カーブを自動選択して適用するようにしてもよい。例えば、打楽器系のタイプが割り当てられたｃｈのコンプレッサではワンノブモードオンのとき打楽器に適した第１の変化カーブを適用し、ボーカル系のタイプが割り当てられたｃｈのコンプレッサではワンノブモードオンのときボーカルに適した第２の変化カーブを適用する、等である。
【００６４】
上記実施形態では、図８，９に示したように、ワンノブモードオンのときには個別操作子のツマミ部分を非表示としてそれらが操作不可であることを表現したが、ツマミの非表示の代わりに、操作子の色や明るさや形状を変えて操作不可であることを示してもよい。
【００６５】
上記実施形態の表示手段はタッチセンサを備えたタッチパネルであったが、タッチセンサを備えないディスプレイと、マウス、タッチパッド等のポインティングデバイスとに置き換えてもよい。
【００６６】
上記実施形態では、選択状態にあるブロック表示領域をタッチすることで、対応する信号処理ブロックの詳細画面を表示するようになっていたが、各信号処理ブロックの詳細画面を開く専用のボタンを設け、選択状態にあるか否かに関わらず、それを操作すれば表示するようにしてもよい。
【符号の説明】
【００６７】
１０１…中央処理装置（ＣＰＵ）、１０２…フラッシュメモリ、１０３…ＲＡＭ、１０４…電動フェーダ、１０６…表示器、１０７…操作子、１０８…波形Ｉ／Ｏ、１０９…信号処理部。
【図１】
2016181888.tif 000003
【図２】
2016181888.tif 000004
【図３】
2016181888.tif 000005
【図４】
2016181888.tif 000006
【図５】
2016181888.tif 000007
【図６】
2016181888.tif 000008
【図７】
2016181888.tif 000009
【図８】
2016181888.tif 000010
【図９】
2016181888.tif 000011
【図１０】
2016181888.tif 000012
【図１１】
2016181888.tif 000013
【図１２】
2016181888.tif 000014
【図１３】
2016181888.tif 000015
【図１４】
2016181888.tif 000016